(57)【要約】【課題】一般家庭において使用される誘導加熱調理器において、表示手段を増設することなく、使用者が異なる表示モードを切り替えて知りたい情報を得られるようにすること。【解決手段】温度設定による加熱調理が行われている場合にタイマ機能を同時に使用している時、表示が変化するタイマ時間表示を通常見られる状況にして、前記高周波電源の設定温度到達確認や温度変更や設定温度の確認など頻度が少ない場面において設定温度表示に切り替えることにより、調理者快適に使用することができ、かつ制御部品のコストアップや機器開発コストの増大を抑制することができる。【選択図】図１
2010244823.tif 000002
【特許請求の範囲】
【請求項１】
調理物を加熱する調理容器と、前記調理容器を載置するトッププレートと、前記調理容器を加熱するために誘導磁界を発生させる加熱コイルに高周波電流を供給する高周波電源と、前記高周波電源への入力電力を検知する入力電力検知手段と、温度センサからの信号により調理物の温度を検知する温度検知手段と、前記温度検知手段において検知した温度が設定温度になるように前記高周波電源の入力電力を制御する制御手段と、設定温度の変更を行うように前記制御手段に信号を出力する操作手段と、前記高周波電源の設定温度・現在温度表示モードを保有し、表示モードに従って前記高周波電源の設定温度・現在温度の表示を行う表示手段と、加熱調理とは無関係なタイマ機能の開始及び停止を行うタイマ機能操作手段と、前記表示手段はタイマ機能の時間を表示するタイマ時間表示手段を有し、タイマ時間表示と前記高周波電源の設定温度・現在温度表示とを切り替える表示モード変更手段を備えた誘導加熱調理器。
【請求項２】
表示手段は、表示モード変更手段にて設定温度・現在温度表示に切り替え後、一定時間経過するとタイマ時間表示に戻るとした請求項１に記載の誘導加熱調理器。
【請求項３】
表示モード変更手段は、タイマ時間表示から設定温度・現在温度表示への切り替えを設定温度の変更を行う操作手段と兼ねるとした請求項１または２に記載の誘導加熱調理器。
【請求項４】
表示モード変更手段は、タイマ時間表示から設定温度・現在温度表示への切り替えを設定温度の変更を行う操作手段と兼ねるとした時、最初の設定温度変更操作で表示が切り替わり、その次の設定温度変更操作で設定温度が切り替わるとした請求項３に記載の誘導加熱調理器。
【請求項５】
操作を受け付けたことを知らせる報知手段を備え、タイマ時間表示から設定温度・現在温度表示への切り替えを設定温度の変更を行う操作手段と兼ねるとした時、最初の設定温度変更操作で表示が切り替わった時には報知せず、その次の設定温度変更操作で設定温度が切り替わった時は報知するとした請求項４に記載の誘導加熱調理器。
【請求項６】
表示モード変更手段は、設定温度・現在温度表示からタイマ時間表示への切り替えをタイマ機能の開始及び停止を行うタイマ機能操作手段と兼ねるとした請求項１〜５のいずれか１項に記載の誘導加熱調理器。
【請求項７】
記憶手段を備え、一定時間を任意に切り替え記憶できるとした請求項２に記載の誘導加熱調理器。
【発明の詳細な説明】
【技術分野】
【０００１】
本発明は、一般家庭用の誘導加熱調理器に関するものである。
【背景技術】
【０００２】
従来、この種の誘導加熱調理器は、複数の加熱部のタイマ動作表示の何れか一方を１つの表示器にて表示するものが開示されている（例えば、特許文献１参照）。
【先行技術文献】
【特許文献】
【０００３】
【特許文献１】特開２００７−２８０７００号公報
【発明の概要】
【発明が解決しようとする課題】
【０００４】
しかしながら、前記従来の構成では、同一の表示内容だとうまく切り替えられ表示スペースの有効活用ができているが、タイマ時間とタイマ時間以外の表示との組み合わせなど表示内容が異なるもの表示の場合まで及んでいないという課題を有していた。
【０００５】
本発明は、前記従来の課題を解決するもので表示スペースが限られた場合であっても、表示スペースを有効に活用して温度表示とタイマ機能表示を切り替えることにより表示を行うことができるので、調理者の快適さを損なうことなく、二つの機能を同時に使用でき、かつ制御部品のコストアップや機器開発コストの増大を抑制することができるとした誘導加熱調理器を提供することを目的とする。
【課題を解決するための手段】
【０００６】
前記従来の課題を解決するために、本発明の誘導加熱調理器は、調理物を加熱する調理容器と、前記調理容器を載置するトッププレートと、前記調理容器を加熱するために誘導磁界を発生させる加熱コイルに高周波電流を供給する高周波電源と、前記高周波電源への入力電力を検知する入力電力検知手段と、温度センサからの信号により調理物の温度を検知する温度検知手段と、前記温度検知手段において検知した温度が設定温度になるように前記高周波電源の入力電力を制御する制御手段と、設定温度の変更を行うように前記制御手段に信号を出力する操作手段と、前記高周波電源の設定温度・現在温度表示モードを保有し、表示モードに従って前記高周波電源の設定温度・現在温度の表示を行う表示手段と、加熱調理とは無関係なタイマ機能の開始及び停止を行うタイマ機能操作手段と、前記表示手段はタイマ機能の時間を表示するタイマ時間表示手段を有し、タイマ時間表示と前記高周波電源の設定温度・現在温度表示とを切り替える表示モード変更手段を備えたとしたものである。
【０００７】
これによって、温度設定による加熱調理が行われている場合にタイマ機能を同時に使用している時、表示が変化するタイマ時間表示を通常見られる状況にして、設定温度到達確認や温度変更や設定温度の確認など頻度が少ない場面において設定温度表示に切り替えることとなる。
【発明の効果】
【０００８】
本発明の誘導加熱調理器は、表示スペースが限られた場合であっても、表示スペースを有効に活用して温度表示とタイマ機能表示を行うことができるので、調理者の快適さを損なうことなく、二つの機能を同時に使用でき、かつ制御部品のコストアップや機器開発コストの増大を抑制することができる。
【図面の簡単な説明】
【０００９】
【図１】本発明の実施の形態１における誘導加熱調理器のブロック図
【図２】本発明の実施の形態１における表示切り替え例の図
【発明を実施するための形態】
【００１０】
第１の発明は調理物を加熱する調理容器と、前記調理容器を載置するトッププレートと、前記調理容器を加熱するために誘導磁界を発生させる加熱コイルに高周波電流を供給する高周波電源と、前記高周波電源への入力電力を検知する入力電力検知手段と、温度センサからの信号により調理物の温度を検知する温度検知手段と、前記温度検知手段において検知した温度が設定温度になるように前記高周波電源の入力電力を制御する制御手段と、設定温度の変更を行うように前記制御手段に信号を出力する操作手段と、前記高周波電源の設定温度・現在温度表示モードを保有し、表示モードに従って前記高周波電源の設定温度・現在温度の表示を行う表示手段と、加熱調理とは無関係なタイマ機能の開始及び停止を行うタイマ機能操作手段と、前記表示手段はタイマ機能の時間を表示するタイマ時間表示手段を有し、タイマ時間表示と前記高周波電源の設定温度・現在温度表示とを切り替える表示モード変更手段を備えたとすることにより、温度設定による加熱調理が行われている場合にタイマ機能を同時に使用している時、表示が変化するタイマ時間表示を通常見られる状況にして、設定温度到達確認や温度変更や設定温度の確認など頻度が少ない場面において設定温度表示に切り替えられ、また高周波電源の設定温度・現在温度表示中に必要な時にタイマ時間表示に切り替えられることとなり表示スペースが限られていても表示を小さくして見えにくくなるようなことはなく、有効に表示スペースを活用でき、使用者は快適に使用することができ、かつ制御部品のコストアップや機器開発コストの増大を抑制することができる。
【００１１】
第２の発明は、特に、第１の発明の表示手段を、表示モード変更手段にて設定温度・現在温度表示に切替え後、一定時間経過するとタイマ時間表示に戻るとしたとすることにより、設定温度・現在温度表示を確認した後操作することなく、自動でタイマ時間表示に切り替わることとなり操作の手間が省け、使用者の利便性を向上することができる。
【００１２】
第３の発明は、特に、第１または第２の発明の表示モード変更手段を、タイマ時間表示から設定温度・現在温度表示への切り替えを設定温度の変更を行う操作手段と兼ねるとしたことにより、設定温度を変更する操作を行うことでタイマ時間表示から設定温度・現在温度表示へ切り替わることとなり操作の手間が省け、使用者の利便性を向上することができる。
【００１３】
第４の発明は、特に、第３の発明の表示モード変更手段を、タイマ時間表示から設定温度・現在温度表示への切り替えを設定温度の変更を行う操作手段と兼ねるとした時、最初の設定温度変更操作で表示が切り替わり、その次の設定温度変更操作で設定温度が切り替わるとしたとすることにより、設定温度変更することなく、設定温度を変更する操作を行うことで表示モードの切り替えのみを行うこととなりご操作防止となり、使用者の利便性を向上することができる。
【００１４】
第５の発明は、特に、第４発明に操作を受け付けたことを知らせる報知手段を備え、タイマ時間表示から設定温度・現在温度表示への切り替えを設定温度の変更を行う操作手段と兼ねるとした時、最初の設定温度変更操作で表示が切り替わった時には報知せず、その次の設定温度変更操作で設定温度が切り替わった時は報知するとしたとすることにより、同じ操作を行っても、表示モード切り替え時と設定温度変更時とを聴覚的に区別できることとなりご操作防止となり、使用者の利便性を向上することができる。
【００１５】
第６の発明は、特に、第１〜５のいずれか１つの発明の表示モード変更手段を、設定温度・現在温度表示からタイマ時間表示への切り替えをタイマ機能の開始及び停止を行うタイマ機能操作手段と兼ねるとしたとすることにより、タイマ機能の開始及び停止と同じ操作を行うことで設定温度・現在温度表示からタイマ時間表示へ切り替わることとなり操作の手間が省け、使用者の利便性を向上することができる。
【００１６】
第７の発明は、特に、第２の発明に記憶手段を備え、一定時間を任意に切り替え記憶できるとしたとすることにより、すばやく切り替わって欲しい場合には時間を短く設定し、ゆっくり切り替わって欲しい場合には時間を長く設定するといった調整が可能となり使用者の好みに合わせることができ、また利便性を向上することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱調理器のブロック図を示すものである。
【００１９】
図１において、本実施の形態の誘導加熱調理器は、調理物を加熱する調理容器１と、前記調理容器１を載置するトッププレート２と、前記調理容器１を加熱するために誘導磁界を発生させる加熱コイル３に高周波電流を供給する高周波電源４と、高周波電源４への入力電力を検知する入力電力検知手段５と、温度センサからの信号により調理物の温度を検知する温度検知手段６と、前記温度検知手段６において検知した温度が設定温度になるように前記高周波電源４の入力電力を制御する制御手段７と、設定温度の変更を行うように制御手段７に信号を出力する操作手段８と、高周波電源４の設定温度・現在温度表示モードを保有し、表示モードに従って前記高周波電源の設定温度・現在温度の表示を行う表示手段９と、加熱調理とは無関係なタイマ機能の開始及び停止を行うタイマ機能操作手段１０を有し、表示手段９はタイマ機能の時間を表示するタイマ時間表示手段を有し、タイマ時間表示中に高周波電源４の設定温度・現在温度表示に表示モードを変更する表示モード変更手段１１とを備えている。
【００２０】
以上のように構成された誘導加熱調理器について、以下その動作、作用を説明する。
【００２１】
まず、誘導加熱調理器を商用電源１２に接続し、電源スイッチ１３をオンする。調理物を入れた鍋などの調理容器１をトッププレート２上に載せ、操作手段８を用いて温度設定を行い、調理開始操作を行う。その情報を制御手段７に発信し、制御手段７は入力検知手段５からの入力電力情報及びトッププレート２の温度情報を温度検知手段６より入手して高周波電源４の高周波電流を制御する。
【００２２】
また、制御手段７は操作手段８から受け取った設定温度情報を表示手段９に表示し、場合によっては、温度検知手段６から得た温度情報を表示する。設定温度を切り替えたい場合には、設定温度アップキーや設定温度ダウンキーなどの操作手段８を用いて行う。
この調理中においてタイマ機能操作手段１０の開始キーを押下し調理とは無関係なタイマ機能を動作させる。タイマ機能操作手段１０の開始キーにより、タイマがカウントしタイマ機能が動作し始める。
【００２３】
図２に示す表示の切り替えは、表示モード変更手段１１を押下することにより、設定温度・現在温度表示からタイマ時間表示に切り替えることができ、また設定温度・現在温度表示に戻したい場合には再度表示モード変更手段１１を押下することにより、タイマ時間表示から設定温度・現在温度表示に切り替えることができる。
【００２４】
以上のように、本実施の形態においては、温度設定による加熱調理が行われている場合にタイマ機能を同時に使用している時、表示が変化するタイマ時間表示を通常見られる状況にして、設定温度到達確認や温度変更や設定温度の確認など頻度が少ない場面において設定温度表示に切り替えられ、また高周波電源の設定温度・現在温度表示中に必要な時にタイマ時間表示に切り替えられることとなり、表示スペースが限られていても表示を小さくして見えにくくなるようなことはなく、有効に表示スペースを活用でき、調理者は快適に使用することができ、かつ制御部品のコストアップや機器開発コストの増大を抑制することができる。
【００２５】
また、表示手段９は、表示モード変更手段１１にて設定温度・現在温度表示に切替後、一定時間経過するとタイマ時間表示に戻るとすることにより、変化していく時間の方を表示することとなり、使用時の利便性が向上する。
【００２６】
その一定時間も使用者の好みに合わせ変更でき、記憶手段に記憶できるようにすれば、より使用者の使い勝手のよいものとすることができる。
【００２７】
また、本実施の形態の表示モード変更手段１１は、タイマ時間表示から設定温度・現在温度表示への切り替えを設定温度の変更を行う設定温度アップキーや設定温度ダウンキーなどの操作手段８と兼ね、設定温度・現在温度表示からタイマ時間表示への切り替えをタイマ機能の開始及び停止を行うタイマ機能操作手段１０と兼ねるとすることにより、部品点数の削減が図れ、且つ切り替え操作の手間を省くことができる。
【産業上の利用可能性】
【００２８】
以上のように、本発明にかかる誘導加熱調理器は、表示スペースが限られた場合であっても、表示スペースを有効に活用して温度表示とタイマ機能表示を行うことが可能となるので、温度表示とタイマ機能表示を同一表示手段上で切り替えるようなその他の各種の調理器等の用途にも適用できる。
【符号の説明】
【００２９】
１  調理容器
２  トッププレート
３  加熱コイル
４  高周波電源
５  入力電力検知手段
６  温度検知手段
７  制御手段
８  操作手段
９  表示手段
１０  タイマ機能操作手段
１１  表示モード変更手段
１２  商用電源
１３  電源スイッチ
１４  報知手段
１５  記憶手段
【図１】
2010244823.tif 000003
【図２】
2010244823.tif 000004